(57)【要約】      （修正有）【課題】容器を正立状態、または倒立状態、さらには吊り下げ状態としても使用でき、倒立時には、スイング可能とした固形状物の収納容器を提供する。【解決手段】容器Ａとカバー体Ｂとからなる固形状の内容物ａの収納容器であって、容器は、容器本体１と、該容器本体に設けられた保持筒５と、該保持筒に上下位置調節自在に嵌挿される筒体１１を具えた内容物の支持体２とを具備しており、カバー体は、球面状の天板１６と、天板中央に垂設され、支持体の筒体頂壁に接続する係止杆１７とを具備している。【選択図】        図１
2004175369.tif 000002
【特許請求の範囲】
【請求項１】
容器とカバー体とからなる固形状の内容物の収納容器であって、
容器は、容器本体と、該容器本体に設けられた保持筒と、該保持筒に上下位置調節自在に嵌挿される筒体を具えた内容物の支持体とを具備しており、
カバー体は、球面状の天板と、天板中央に垂設され、支持体の筒体頂壁に接続する係止杆とを具備していることを特徴とする収納容器。
【請求項２】
天板の中央部に吊り下げリングが取着され、天板に該吊り下げリングを収容する凹部が設けられていることを特徴とする請求項１記載の収納容器。
【請求項３】
容器本体の下に正立用の台枠が取着され、倒立時には、球面状の天板によって、揺動可能とされていることを特徴とする請求項１、２記載の収納容器。
【発明の詳細な説明】
【０００１】
【発明の属する技術分野】
本発明は、芳香剤、消臭剤、防虫剤、防黴材等の固形剤を収納し、容器の開口部を開いて大気と連通するようにした揮発性の内容物の収納容器に関する。
【０００２】
【従来の技術】
芳香剤や消臭剤、防虫剤や防黴剤等、揮発性の固形剤を収納する容器として、正立状態で用いる容器や吊り下げ式容器は、従来より一般に使用されており、周知である。
また、内容物の量の変化に応じて容器の姿勢を変化させるようにした容器も、従来より知られている（例えば、特許文献１参照。）。
【０００３】
【特許文献１】
特開平８−５８７５８号公報
【０００４】
【発明が解決しようとする課題】
一般に用いられている従来周知の容器は、容器の使用時に、容器を正立状態に用いる場合には、一定広さの台板の上に載置しなければならず、載置場所が限定されるという問題があった。
また、吊り下げ式の容器の場合には、常に吊り下げ状態で用い、容器とは別に吊り下げ金具を必要とし、また容器の位置を簡単に変更できないという問題があった。
【０００５】
また、特許文献１記載の容器は、容器の傾きによって内容物の残量を識別できるようにしたもので、内容物の残量を容器の傾きとして正確に反映させるためには、容器を一定広さを有する水平面上に載置しなければならず、載置場所が限定されるという問題があった。
そして、上記のいずれの容器も倒立状態での使用はできなかった。
また、容器は、常に一定の状態で使用され、正立状態、吊り下げ状態、倒立状態のいずれでも使用できるようにしていなかった。
【０００６】
本発明は、上記の事情を考え、容器を正立状態、または倒立状態、さらには吊り下げ状態としても使用でき、倒立時には、スイング可能とした固形状物の収納容器を提供することを目的とする。
【０００７】
【課題を解決するための手段】
本発明は、上記の課題を解決するため、収納容器として、容器とカバー体とからなる固形状の内容物の収納容器であって、容器は、容器本体と、該容器本体に設けられた保持筒と、該保持筒に上下位置調節自在に嵌挿される筒体を具えた内容物の支持体とを具備しており、カバー体は、球面状の天板と、天板中央に垂設され、支持体の筒体頂壁に接続する係止杆とを具備していることを特徴とする構成を採用する。
【０００８】
吊り下げ可能な容器として、上記構成に付加して、天板の中央部に吊り下げリングが取着され、天板に該吊り下げリングを収容する凹部が設けられていることを特徴とする構成を採用する。
【０００９】
正立状態を安定させるために、容器本体の下に正立用の台枠が取着され、倒立時には、球面状の天板によって、揺動可能とされていることを特徴とする構成を付加する。
【００１０】
【発明の実施の形態】
次に、本発明の第１実施形態について、図面を参照して説明する。
図１において、Ａは固形剤を収容する容器、Ｂは容器に被蓋したカバー体である。
【００１１】
容器Ａは、容器本体１と固形の内容物ａの支持体２とからなっており、容器本体１は、テーパーが付けられた外周壁３と底壁４、底壁４中央に立設された有頂の保持筒５とを具えている。
外周壁３の上端部には、段部６が形成されて開口周壁７が設けられており、外周壁３下端は、底壁４より下方に延び底端壁８となっている。
保持筒５には、上下一対の膨出環からなる複数の保持環９，１０が等間隔をおいて設けられている。
【００１２】
支持体２は、固形芳香剤を支持する有頂の筒体１１と、筒体１１の下端からフランジ状に広がる支持板１２とからなり、筒体１１の頂壁１３の中央には、カバー体Ｂの支持孔１４が穿孔されている。
支持板１２の内周には、保持筒５の保持環９，１０に係合する保持環１５が突出している。
【００１３】
カバー体Ｂは、球面状の天板１６と、天板１６中央から垂下された係止杆１７とを具えている。
天板１６の上面には、中央に係止杆１７に対応して後述する吊り下げリングの取着部１８が形成されており、取着部１８を中心部として、扇形の凹部１９が設けられている。
取着部１８には、横孔２０が穿孔され、該横孔２０の上方には、取着部１８上面に通じるスリット２１が穿設されており、横孔２０には、吊り下げリング２２が取着されている。
【００１４】
吊り下げリング２２は、図２に示すように、支持部２３と係止部２４と、係止部２４に隣接する薄肉の挿入部２５とを具えており、吊り下げリング２２の取着時には、挿入部２５をスリット２１より挿入し、次いで、係止部２４を横孔２０に係止するよう位置決めすることによって、係止部２４が横孔２０に嵌挿され、吊り下げリング２２は、スリット２１より抜けることなく係止される。
凹部１９の円弧部には、内方に突出する係止片２６が設けられ、吊り下げリング２２の支持部２３を天板１６の上面よりみだりに外れないよう係止されている。
【００１５】
天板１６の周縁は波形になっており、天板１６周辺部の下面には、図１に示すように、容器本体１の開口周壁７を、その両面から圧接するよう内筒２７、外筒２８とからなる嵌合筒２９が垂設されている。
【００１６】
係止杆１７には、その下方に支持体２の頂壁１３の支持孔１４とほぼ同径の小径軸部３０と、その下方に、それより拡径され、中央にスリット３１を設けた係止部３２が連設されている。
【００１７】
次に、本実施形態の使用態様と作用効果について説明する。
容器本体１には、芳香剤や消臭剤、防虫剤、防黴剤等であって、固形或いは半固形の内容物ａが、支持体２に支持させるようにして収納されている。
使用前には、図１に示すように、カバー体Ｂの嵌合筒２９が開口周壁７を密封し空気が入らないので、内容物ａは原型を維持したまま保存される。
【００１８】
使用にあたって、カバー体Ｂを持ち上げると、図３に示すように、カバー体Ｂの嵌合筒２９が開口周壁７から離れ、同時に支持体２も引き上げられ、内容物ａの上部が開口周壁７から突出するとともに空気に接触し、さらに、内容物ａの周面が外周壁３から離れることによって、内容物ａの大気と接触する面積が大きくなり、大気中への内容物ａの揮発、放散が促進されることになる。
その際、支持板１２内周の保持環１５は、支持体２の保持環９または１０に係合して、支持体２が落下したり、妄動したりすることを防止するので、カバー体Ｂは、定位置に維持される。
【００１９】
本収納容器は、正立状態だけでなく、吊り下げ状態、倒立状態でも使用できる。
吊り下げて使用する場合には、図３に示すように、吊り下げリング２２の支持部２３を係止片２６から引き外して引っ張り上げると、吊り下げリング２２は、係止部２４で天板１６の取着部１８と連結され、支持部２３を壁などに設けられた掛け具に吊り下げることができる。
【００２０】
倒立状態で使用する場合には、吊り下げリング２２を凹部１９内に収容して支持部２３を係止片２６に係止させた状態で、カバー体Ｂを上方に引き上げ、嵌合筒２９を開口周壁７から離して内容物ａを露出させ、次いで、図４に示すように、容器Ａを倒立させると、天板１６の球面が載置台に接触して、容器Ａを倒立させるとともに、スイングさせることができ、内容物の揮発、放散がさらに促進する。
倒立状態にしたときには、カバー体Ｂは、定位置に維持されるが、内容物ａは、支持板１２から離れて、天板１６に接近し重心を下げられることによって、容器は、起きあがり小法師のようにスイングし興趣を付与することになる。
【００２１】
次に、第２実施形態について説明する。
図５において、Ａａは容器、Ｂａは容器Ａａを被蓋するカバー体である。
容器Ａａは、容器本体４０と、固形剤の支持体４１と容器Ａａの台枠４２とからなっている。
【００２２】
容器本体４０は、テーパーが付された外周壁４３と底板４４と、底板４４に立設された有頂の保持筒４５とを具えている。
外周壁４３の上端部には、段部４６が設けられ、開口周壁４７が形成されている。
底板４４の周辺部には、外周壁４３の下端周縁に沿って下端に突出環４８を設けた係合リング４９が垂設されており、保持筒４５の周面には、等間隔をおいて、外方に膨出する複数個の保持環５０が設けられている。
【００２３】
支持体４１は、固形芳香剤を支持する有頂の筒体５１と支持板５２とからなり、筒体５１の頂壁５３には、カバー体Ｂａのための支持孔５４が穿孔されている。
支持板５２の内周縁には、保持筒４５の保持環５０に係合する膨出環５５が突設されている。
【００２４】
台枠４２は、上壁５６と上壁５６外周から垂設された円錐筒５７とからなり、上壁５６の外周縁には、上端に容器本体４０の係合リング４９の外周に当接し、突出環４８に係合する突出環５８を設けた係止リング５９が立設されている。
【００２５】
カバー体Ｂａは、球面状の天板６０と天板６０の中央に垂設された係止杆６１とからなっており、天板６０上面には、図６に示すように、花びら模様を表現する溝６２が刻設され、周縁部６３は花びら模様を補完するよう波形になっている。
【００２６】
天板６０の周辺部下面には、容器本体４０の開口周壁４７を、その両面から圧接する内筒６４と外筒６５からなる嵌合筒６６が垂設されている。
係止杆６１は、その下方に筒体５１の頂壁５３の支持孔５４とほぼ同径の軸部６７と、それより拡径され、中央にスリット６８を設けた係止部６９が連設されている。
【００２７】
次に、第２実施形態の使用態様と作用効果について説明する。
容器本体４０には、第１実施形態と同様の内容物ａが収納され、使用にあたっては、第１実施形態と同様に、カバー体Ｂａを持ち上げて、内容物ａの上部を開口周壁４７から露出させ、容器Ａａを正立状態、または倒立状態として使用する。
正立状態として使用する場合には、図７に示すように、台枠４２を台板上に載置するので安定的に載置され、カバー体Ｂａの天板６０表面には、花柄模様が形成されているので、デザイン性を与えることができる。
【００２８】
また、倒立状態で使用するときは、図８に示すように、天板６０表面には、第１実施形態のような吊り下げリングを収納する凹部がなくほぼ完全な球面であるので、スイングさせたときには、円滑に動き、全方向にスイングさせることができ、第１実施形態に比して一層の興趣を付与することができる。
【００２９】
上記実施形態では、台枠の実施例として、容器本体４０に結合する特定形状の台枠４２について説明したが、台枠を容器本体と一体のものとして設けてもよく、また、台枠の形状も横断面が角形状や楕円形状としてもよい。
また、台枠を第１実施形態に適用して、容器本体の下端に設けてもよい。
【００３０】
【発明の効果】
本発明は、上記のように構成されているから、次の効果を奏する。
第１実施形態の収納容器は、カバー体の天板を球面とし、吊り下げリングを取着し、凹部に収納するようにしているから、容器を正立状態、倒立状態および吊り下げ状態として使用できる。
また、倒立状態にしたときには、球面の天板により、スイングできる。
【００３１】
第２実施形態の収納容器は、容器の下面に台枠を設けているので、正立状態として使用する場合には、台板上に安定的に載置され、倒立状態として使用する場合には、天板上面はほぼ完全な球面であるので、スイングさせたときには、円滑に動き、全方向にスイングさせることができる。
また、カバー体の天板表面には、溝によって花びら模様が形成されているので、デザイン性も優れている。
【図面の簡単な説明】
【図１】本発明第１実施形態容器の縦断面図である。
【図２】カバー体の上面図である。
【図３】容器使用時の説明図で、カバー体を引き上げたときの縦断面図である。
【図４】容器の倒立使用時の縦断面図である。
【図５】第２実施形態容器の縦断面図である。
【図６】容器の斜視図である。
【図７】容器の正立使用時の縦断面図である。
【図８】容器の倒立使用時の縦断面図である。
【符号の説明】
Ａ、Ａａ      容器
Ｂ、Ｂａ      カバー体
ａ            内容物
１、４０      容器本体
２、４１      支持体
３、４３      外周壁
４            底壁
５、４５      保持筒
６、４６      段部
７、４７      開口周壁
８            底端壁
９、１０、１５、５０  保持環
１１、５１    筒体
１２、５２    支持板
１３、５３    頂壁
１４、５４    支持孔
１６、６０    天板
１７、６１    係止杆
１８          取着部
１９          凹部
２０          横孔
２１、３１、６８    スリット
２２                吊り下げリング
２３                支持部
２４、３２、６９    係止部
２５          挿入部
２６          係止片
２７、６４    内筒
２８、６５    外筒
２９、６６    嵌合筒
３０          小径筒部
４２          台枠
４４          底板
４８、５８    突出環
４９          係合リング
５５          膨出環
５６          上壁
５７          円錐筒
５９          係止リング
６２          溝
６３          周縁部
６７          軸部
【図１】
2004175369.tif 000003
【図２】
2004175369.tif 000004
【図３】
2004175369.tif 000005
【図４】
2004175369.tif 000006
【図５】
2004175369.tif 000007
【図６】
2004175369.tif 000008
【図７】
2004175369.tif 000009
【図８】
2004175369.tif 000010